(57)【要約】【課題】本発明では、個室の近くまで行かなくても、個室から離れた位置であってその個室の閉じた状態の扉の平面に対して角度のある位置から各個室の使用状況を容易に確認することができる個室使用状況表示器を提供する。【解決手段】  個室の使用状況を表示する個室使用状況表示器は、個室の壁面に突き出して設置された第１のマークが付された第１のプレートと、個室の扉に突き出して設置された第２のマークが付された第２のプレートと、を備えており、第２のプレートは、扉を閉めた状態で離れた位置からみた場合に、第１のプレート上の第１のマークを覆い隠して、第２のマークが見えるように、扉に設置されていることにより、上記課題の解決を図る。【選択図】図１
2010243692.tif 000002
【特許請求の範囲】
【請求項１】
個室の使用状況を表示する個室使用状況表示器であって、
前記個室の壁面に設置され、第１のマークが付された表示面を有する第１のプレートと、
閉めると前記壁面と略同一平面を形成する前記個室の扉に設置された、第２のマークが付された表示面を有する第２のプレートと、を備え、
前記第１のプレートは、前記壁面のなす水平方向と同方向である第１の方向からみた場合に、前記第１のマークが付された表示面が見えるように、所定角度で該壁面に設置され、
前記第２のプレートは、前記扉を閉めた状態で前記第１の方向からみた場合に、前記第２のマークが付された表示面が見えるように、所定角度で該扉に設置されると共に、該扉を閉めた状態で前記第１の方向からみた場合に、前記第１のプレート上の前記第１のマークを覆い隠して、該第２のマークが見えるように、該扉に設置されている
ことを特徴とする個室使用状況表示器。
【請求項２】
前記第１のプレートにおいて、第１のマークが付された表示面には、さらに、前記個室の設備内容を示す標識が付され、
前記扉を閉めた状態で前記第１の方向からみた場合に、前記第２のプレートは、該第１のマークのみを覆い隠し、該標識には覆い被さらない
ことを特徴とする請求項１に記載の個室使用状況表示器。
【発明の詳細な説明】
【技術分野】
【０００１】
本発明は、個室の使用状況を離れた位置より判別する個室使用状況表示器に関する。
【背景技術】
【０００２】
部屋の使用状況を室外より確認するための方法として、例えば、第1の従来例として、個室内、扉等に設置されたセンサ等により使用者の有無を感知し、別に設置されたモニタ等に使用状況を表示する方法がある（例えば、特許文献１、特許文献２、特許文献３、特許文献４、特許文献５）。また、第２の従来例として、会議室等にてよく使用されている表示器で、既存表示板（表示内容）の上に別の表示板（表示内容）をスライドさせることで覆い隠し、表示を変えて使用状況を示すスライド式表示器による方法がある。また、第３の従来例として、トイレ等の鍵に使用されており、個室扉の鍵を閉めることにより、表示を変えて使用状況を示す表示器付ラッチ錠等による方法がある。
【先行技術文献】
【特許文献】
【０００３】
【特許文献１】特開２００５−３０５１２３号公報
【特許文献２】特開平８−１８５１３５号公報
【特許文献３】特開平６−３３３１７４号公報
【特許文献４】特開２００２−２１１４９号公報
【特許文献５】特開平３−２２４９６８号公報
【特許文献６】特開平７−２８７５２９号公報
【発明の概要】
【発明が解決しようとする課題】
【０００４】
しかしながら、第1の従来例の場合には、設置にあたり電源の確保、配線工事等が必要であるので、設置工事費の上昇、工事期間の長期化することがあった。また、モニタ自体と各個室とは離れた場所に設置されている為、モニタ自体を見落とす可能性があった。
【０００５】
また、第２の従来例の場合には、個室の近くまで行かなければ個室の使用状況を確認することができなかった。また、表示を変更する動作が必要となり、変え忘れの可能性があった。
【０００６】
また、第３の従来例の場合も、鍵のない扉には使用できなかった。また、鍵に表示するため表示が小さかったため、個室の近くまで行かなければ、その表示の内容（使用状況）を確認しづらかった。
【０００７】
このように従来、その個室の使用状況を知るためには、扉の近くまで移動して、扉の開閉状況もしくは扉に取付けられた鍵表示（空きは青、使用中は赤等）を確認する必要があった。
【０００８】
図１は、従来の個室の使用状況を確認する様子を示す図である。Ａ地点からでは、奥の方にある個室の扉の開閉状況は分かりにくく、また鍵にある表示はその個室の前まで行かなければ、その使用状況を確認できなかった。
【０００９】
上記課題に鑑み、本発明では、個室の近くまで行かなくても、個室から離れた位置であってその個室の閉じた状態の扉の平面に対して角度のある位置から各個室の使用状況を容易に確認することができる個室使用状況表示器を提供する。
【課題を解決するための手段】
【００１０】
本発明にかかる、個室の使用状況を表示する個室使用状況表示器は、前記個室の壁面に設置され、第１のマークが付された表示面を有する第１のプレートと、閉めると前記壁面と略同一平面を形成する前記個室の扉に設置された、第２のマークが付された表示面を有する第２のプレートと、を備え、前記第１のプレートは、前記壁面のなす水平方向と同方向である第１の方向からみた場合に、前記第１のマークが付された表示面が見えるように、所定角度で該壁面に設置され、前記第２のプレートは、前記扉を閉めた状態で前記第１の方向からみた場合に、前記第２のマークが付された表示面が見えるように、所定角度で該扉に設置されると共に、該扉を閉めた状態で前記第１の方向からみた場合に、前記第１のプレート上の前記第１のマークを覆い隠して、該第２のマークが見えるように、該扉に設置されていることを特徴とする。
【発明の効果】
【００１１】
本発明によれば、個室の近くまで行かなくても、個室から離れた位置であってその個室の閉じた状態の扉の平面に対して角度のある位置から各個室の使用状況を容易に確認することができる。
【図面の簡単な説明】
【００１２】
【図１】従来の個室の使用状況を確認する様子を示す図である。
【図２】本発明の実施形態における個室使用状況表示器を示す。
【図３】本発明の実施形態における個室使用状況表示器の変形例を示す。
【図４】プレート５に、個室内の設備内容を表示させる標識としての機能を追加した例を示す。
【発明を実施するための形態】
【００１３】
扉の開閉機構を利用し、各個室の扉および固定壁に設置した突き出し型表示を変えることにより、各個室使用状況を表示する。
図２は、本発明の実施形態における個室使用状況表示器を示す。（ａ）は、個室１が空き状態で、扉４が開いている状態を示す。（ｂ）は、個室１が使用中で、扉４が閉まっている状態を示す。図２（ａ）及び（ｂ）それぞれの上側の図は、個室１を上方から観察した場合の図である。図２（ａ）及び（ｂ）それぞれの下側の図は、個室１を観察方向１１から観察した場合の図である。
【００１４】
図２（ａ）では、個室１の通路側の壁面２には、壁面２に対して垂直方向に立設して固定されたプレート５が設けられている。観察方向１１からプレート５を観察すると（図２（ａ）の下図）、そのプレート５には、例えば、青色のマーク５１が付されている。ここで、本実施形態にいて、青色のマーク５１は個室１が空室であることを示すマークであるとするが、これに限定されず、どのような色彩、模様等の形態であってもよい。
【００１５】
個室１の通路側の壁面３には、蝶番で連結された扉４が設置されている。扉４の通路側に面している平面部分に対して垂直方向に立設して固定されたプレート６が設けられている。扉４が閉じた状態で観察方向１１からプレート６を観察すると（図２（ｂ）の下図）、そのプレート６には、例えば、赤色のマーク６１が付されている。ここで、本実施形態にいて、赤色のマーク６１は個室１が使用中であることを示すマークであるとするが、これに限定されず、どのような色彩、模様等の形態であってもよい。
【００１６】
扉４が開いている場合、観察方向１１に対して、青色マーク５１の表示面が垂直方向に位置するように、プレート５は壁面２に設置されているので、観察方向１１からは、常にプレート５の青色マーク５１が見える。したがって、観察者は、個室の近くまで行かなくても、個室から離れた位置であって、閉じた状態の扉４に対して、角度のある位置から、その個室１が空き状態であることを確認できる。
【００１７】
なお、扉４は、きちんと閉めない限りは、所定の角度、開くような開閉機構を蝶番に用いている。よって、扉４が開いている状態で、観察方向１１から観察した場合、プレート５とプレート６とが重なることはない。
【００１８】
図２（ｂ）は、扉４が閉まっている状態である。観察方向１１から見た場合において、扉４が閉まっているとき、プレート６の赤色マーク６１がプレート５の青色マーク５１に覆い被さる位置に、プレート６は扉４に設置されている。
【００１９】
したがって、扉４を閉めると、プレート６の赤色マーク６１がプレート５の青色マーク５１に覆い被さる。観察方向１１に対して、赤色マーク６１の表示面が垂直方向に位置するように、プレート６は扉４に設置されているので、この場合、観察方向１１からは、常にプレート６の赤色マーク６１が見える。したがって、観察者は、個室の近くまで行かなくても、個室から離れた位置であって、閉じた状態の扉４に対して角度のある位置から、その個室１が使用中であることを確認できる。
【００２０】
図３は、図２の変形例である。図３の例では、プレート５が設置されている側の壁面２に蝶番を介して扉４が連結している。さらに、プレート６は、扉４における壁面２側の端部近傍に設置されている。このように、観察方向や扉の設置環境に応じて、プレート５，６の設置位置を変更してもよい。
【００２１】
このように、個室が使用されていない場合、プレート５の青色マーク５１により、個室が空室であることを示すことができるので、個室を使用するユーザに対して、個室が空室であることを知らせることができる。
【００２２】
また、個室が使用されている場合、扉４を閉めることにより、プレート５上の個室が空室であることを示す青色マーク５１を、プレート６によって覆い隠して、個室が使用中であることを示す赤色マーク６１を示すことができるので、個室を使用するユーザに対して個室が使用中であることを知らせることができる。
【００２３】
なお、プレート５については、プレート５上の個室が空室であることを示す青色マーク５１以外にも、個室内の設備内容を表示させる標識を表示させることもできる。これについては、図４で説明する。
【００２４】
図４は、プレート５に、個室内の設備内容を表示させる標識としての機能を追加した例を示す。図４（ａ）は、上述した赤色マーク６１が付されたプレート６であり、上記と同様である。
【００２５】
図４（ｂ）〜（ｄ）は、青色マーク５１以外に、個室内の設備内容を表示した標識を付したプレート５のバリエーションを示す。図４（ｂ）は、青色マーク５１以外に、個室を識別するための番号を表示する個室識別表示部５２を設けたプレート５ａを示す。図４（ｃ）は、青色マーク５１以外に、個室識別表示部５２と、その個室の設備の内容（例えば、個室がトイレならば、和式など）を表示する設備表示部５３を設けたプレート５ｂを示す。図４（ｄ）は、青色マーク５１以外に、個室識別表示部５２と、その個室の設備の内容を表示する設備表示部５３，５４（例えば、個室がトイレならば、「洋式」のトイレであって、「ベビーチェア」を備えていることを示す）を設けたプレート５ｃを示す。
【００２６】
このように構成することにより、個室の使用状況だけでなく、個室内の設備内容についても、個室の前まで行かなくても遠方から確認できる。また、個室の設備数に応じて、プレート５の長さを調整してもよい。
【００２７】
なお、プレート５，６の材質は、塩化ビニル等の素材で薄く構成してもよいし、プラスチェックや金属等の材料で構成してもよい。また、個室は、会議室、トイレ等であってもよい。また、壁面２に対するプレート５の設置角度及び扉４に対するプレートの設置角度６を、遠方から観察または進行するユーザの位置に応じて、調整してもよい。
【００２８】
本実施形態によれば、個室の前まで行かなくても遠方から使用状況が確認できる。また、扉を閉めることにより空室、使用中の表示変更が可能であることから、利用者が特別な動作をする必要がなく容易に使用状況を変更できる。また、各個室に表示器を設置するため、表示を見落としにくい。また、表示の大きさの変更が可能である。固定壁、扉等に表示板を設置するだけで設置が容易である。電源および配線等の工事が不要である。また、工事費の削減、工事期間の短縮化を図ることができる。また、破損時等においては、プレートの交換のみで対応が可能（迅速に対応が可能）である。
【００２９】
なお、本発明は、以上に述べた実施の形態に限定されるものではなく、本発明の要旨を逸脱しない範囲内で種々の構成または実施形態を取ることができる。
【符号の説明】
【００３０】
１      個室
２，３  壁面
４      扉
５，６  プレート
５１    青色マーク
５２    赤色マーク
【図２】
2010243692.tif 000003
【図３】
2010243692.tif 000004
【図４】
2010243692.tif 000005
【図１】
2010243692.tif 000006